(57)【要約】【課題】  超精密平面加工フェースを備えたゴルフクラブヘッド及びゴルフクラブ、並びにその製造方法を提供する。【解決手段】  クラブヘッド３の正面側には、ボールをヒットするフェース面１１が形成されている。フェース面１１の平面度が１μ未満（ナノレベル）となっている。これにより、滑りが無く、スピンの安定化、方向性、直進性など従来にない効果が得られる。すなわち、ボールとの摩擦力をアップし、ボールとの接触が強くなりスピン性能を向上させることができる。【選択図】図２
2019217183.tif 000002
【特許請求の範囲】
【請求項１】
フェイス面の平面度が１μ未満である
ゴルフクラブヘッド。
【請求項２】
前記フェイス面全体が平面度が、１μ未満である
請求項１に記載のゴルフクラブヘッド。
【請求項３】
前記フェイス面には、複数のストライプ状の溝が平行に形成されている
請求項１または請求項２に記載のゴルフクラブヘッド。
【請求項４】
反発係数が０．８３を超えない
請求項１〜３のいずれかに記載のゴルフクラブヘッド。
【請求項５】
ドライバであり、ラビスラズリで構成されている
請求項１〜３のいずれかに記載のゴルフクラブヘッド。
【請求項６】
請求項１〜５のいずれかに記載のゴルフクラブヘッドを備えた
ゴルフクラブ。
【請求項７】
金型に材料を注入してゴルフヘッドの原部材を成形する第１の工程と、
前記原部材をＣＮＣミルド加工してフェイス面（あるいは全体）を形成する第２の工程と、
前記第２の工程で形成された前記フェイス面を平面度が１μ（ミクロン）未満となるように研磨する第３の工程と、
前記第３の工程後に前記フェイス面に溝を形成する第４の工程と
を有する
ゴルフクラブヘッド製造方法。
【発明の詳細な説明】
【技術分野】
【０００１】
本発明は、ゴルフクラブヘッド及びゴルフクラブ、ゴルフクラブヘッド製造方法に関するものである。
【背景技術】
【０００２】
様々な観点でゴルフクラブの開発が行われている。例えば、クラブヘッドの材料、重心の位置、スポットの面積等を設計することで、指向精度を高めたり、飛距離を伸ばしている。
従来では、金型に材料を注入してゴルフヘッドの原部材を成形し、その原部材をＣＮＣ(Computer Numerical Control)ミルド加工してフェイス面（あるいは全体）を形成し、そのフェイス面を職人等が手作業で研磨しているゴルフクラブを製造している。
【発明の概要】
【発明が解決しようとする課題】
【０００３】
ところで、従来は、クラブヘッドのフェイス面が略完璧な平面（平滑）であるという前提があった。
フェース面の平面度は、ボールとの摩擦力をアップし、スピン性能を向上させる上で欠かせない要素である。
自動車レースで使うスリックタイヤ（溝のないタイヤ）が、地面との接触面積を最大にして、最も強いグリップ力を発揮するのと同様、フェース面も平滑なほどボールとの接触が強くなりスピンがかかる。
しかしながら、発明者が実際にフェイス面の平面度を検査したところ、工業的にみると、平面度は低いということが分かった。
【０００４】
本発明はかかる事情に鑑みてなされたものであり、その目的は、超精密平面加工フェースを備えたゴルフクラブヘッド及びゴルフクラブ、並びにその製造方法を提供することにある。
【課題を解決するための手段】
【０００５】
上述した従来技術の問題点を解決し、上述した目的を達成するために、本発明のゴルフクラブヘッドのフェイス面の平面度が１μ（ミクロン）未満である。
【０００６】
好適には、前記フェイス面全体が平面度が、１μ（ミクロン）未満である。
【０００７】
好適には、前記フェイス面には、複数のストライプ状の溝が平行に形成されている。
【０００８】
好適には、反発係数が０．８３を超えない。
【０００９】
好適には、ドライバであり、ラビスラズリで構成されている。
【００１０】
本発のゴルフクラブは、上述したゴルフクラブヘッドを備えている。
【００１１】
本発明のゴルフクラブヘッド製造方法は、金型に材料を注入してゴルフヘッドの原部材を成形する第１の工程と、前記原部材をＣＮＣミルド加工してフェイス面（あるいは全体）を形成する第２の工程と、前記第２の工程で形成された前記フェイス面を平面度が１μ（ミクロン）未満となるように研磨する第３の工程と、前記第３の工程後に前記フェイス面に溝を形成する第４の工程とを有する。
【発明の効果】
【００１２】
本発明によれば、超精密平面加工フェースを備えたゴルフクラブヘッド及びゴルフクラブ、並びにその製造方法を提供することができる。
【図面の簡単な説明】
【００１３】
【図１】図１は、本発明の実施形態に係わるゴルフクラブ（アイアン）の全体外観図である。
【図２】図２は、図１に示すゴルフクラブのクラブヘッドの正面図である。
【図３】図３は、図２に示すクラブヘッドの背面図である。
【図４】図４は、図２に示すクラブヘッドのフェース面に形成された溝を説明するあめの部分断面図である。
【図５】図５は、図２に示すクラブヘッドの製造方法を説明するためのフローチャートである。
【発明を実施するための形態】
【００１４】
前述したように、クラブヘッドのフェイス面が略完璧な平面であるという前提があった。
しかしながら、発明者が実際にフェイス面の平面度を検査したところ、工業的に見ると、平面度は低いということが分かった。
本実施形態では、超精密平面加工フェース、すなわちフェイス面の平面度が１μ（ミクロン）未満（ナノレベル）のゴルフクラブについて説明する。
【００１５】
図１は、本発明の実施形態に係わるゴルフクラブ（アイアン）１の全体外観図である。図２は、図１に示すゴルフクラブ１のクラブヘッド３の正面図である。図３は、図２に示すクラブヘッド３の背面図である。図４は、図２に示すクラブヘッド３のフェース面１１に形成された溝を説明するあめの部分断面図である。
【００１６】
図１に示すように、ゴルフクラブ１のシャフトの一端部にはクラブヘッド３が位置している。
図２に示すクラブヘッド３の正面側には、ボールをヒットするフェース面１１が形成されている。
本実施形態では、フェース面１１の平面度が１μ（ミクロン）未満（ナノレベル）となっている。この面精度を過去に実現した例はない。
【００１７】
このように、フェース面１１の平面度をナノレベルにしたことで、滑りが無く、スピンの安定化、方向性、直進性など従来にない効果が得られる。
すなわち、ボールとの摩擦力をアップし、ボールとの接触が強くなりスピン性能を向上させることでできる。
【００１８】
また、図２及び図４に示すように、フェース面１１には、図中左右方向に複数のストライプ状の溝１５が平行に形成されている。
溝１５の主目的は、インパクトの瞬間に挟まる芝や水分によるスリップを最小限に抑えることである。
【００１９】
また、溝１５は、Ｒ＆ＡのＳＬＥ（Spring Like Effect）ルールに則り、範囲内の幅、深さに規定されている。
また、ＳＬＥルールに則り、溝１５の彫刻面が鋭角又は角ばらない様に範囲内で丸めている。
【００２０】
また、ＳＬＥルールに則り、フェース面１１の反発係数は、が０．８３を超えないように規定されている。
【００２１】
クラブヘッド３は、プロを含めた複数のテスターが、あらゆる環境、ショットでのテストを繰り返し、その場でヘッドを研磨して理想のヘッドを完成した後に計測した数値を設計値とした。これにより、ゴルファーの感覚とニーズを満たし、実践で使えるヘッドシェイプ（形）が生まれた。
【００２２】
クラブヘッド３の超精密平面加工の性能をフルに発揮するには、入射角は問わないが、ダウンブローのインパクトが必要であり、ゴルフボールが曲がらず、実力を発揮できる。
【００２３】
ゴルフクラブ１で打つ球は、常に高さ、そして方向性、上下の距離感が一定であることが求められるが、上述したようにフェース面１１の平面度をナノレベルにしたことで、このような要求に応えることができた。
常に一定の球筋、そして一定のスピン量、曲げようとしてもなかなか曲がらないサイドスピン量、狙いどころにスッと落ちる素直な弾道が得られる。
出ダマの再現性が高く、かつ上下左右のブレがなくなる。
【００２４】
以下、クラブヘッド３の製造方法を説明する。
図５は、図２に示すクラブヘッド３の製造方法を説明するためのフローチャートである。
上述した平面度がナノレベルのフェース面１１を持つクラブヘッド３は以下のようにして製造される。
【００２５】
ステップＳＴ１：
金型に材料を注入してゴルフヘッドのヘッド原部材を成形する。
【００２６】
ステップＳＴ２：
ステップＳＴ１で成形したヘッド原部材をＣＮＣミルド加工してフェイス面を形成する。このとき、原部材の全面をミルド加工してもよい。
【００２７】
ステップＳＴ３：
ステップＳＴ２で形成されたフェイス面を平面度が１μ（ミクロン）未満となるように研磨する。
【００２８】
ステップＳＴ４
図２及び図４に示すように、フェース面１１に溝１５を形成する。
【００２９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３０】
上述した実施形態では、本発明のゴルフクラブをアイアンに適用した場合を例示したが、ドライバに適用してもよい。ドライバの場合には、ラビスラズリでヘッドを形成する。
【００３１】
また、上述した実施形態では、クラブヘッド３のフェース面１１全体の平面度がナノレベルになるようにしたが、フェース面１１の一部、例えばスイートスポット、あるいはその周辺領域を含む領域にのみ平面度をナノレベルにしてもよい。
なお、フェース面１１の平面度をナノレベルにする製造方法は特に上述したものに限定されない。
【産業上の利用可能性】
【００３２】
本発明はゴルフクラブに適用可能である。
【符号の説明】
【００３３】
１…ゴルフクラブ
３…クラブヘッド
１１…フェース面
１５…溝
【図１】
2019217183.tif 000003
【図２】
2019217183.tif 000004
【図３】
2019217183.tif 000005
【図４】
2019217183.tif 000006
【図５】
2019217183.tif 000007